(57)【特許請求の範囲】
【請求項１】
本体の上面及び側面に開口し、手を収納できる広さを有する手挿入部に、前記本体に設けられた高圧空気流を発生する送風機と、前記高圧空気流を高速空気流として噴出させる前記手挿入部の互いに対向した面にそれぞれ配置されたノズルと、前記高圧空気流を前記送風機から前記ノズルに送る風路とを有する手乾燥装置において、前記手挿入部を構成する内壁部品と内壁部品との合わせ部分を、一方の内壁部品に凹部を設け、他方の内壁部品の端部を前記凹部に挿入する嵌合部を設け、前記凹部に前記嵌合部を嵌め合せ、前記凹部と前記嵌合部との間に第一の隙間と第二の隙間と、前記第一の隙間と第二の隙間との間に水の浸入を止める水切り部とを設け、前記第一の隙間は前記水切り部の手挿入部側下端側に、前記第二の隙間は前記凹部と前記嵌合部との間に構成し、前記水切り部は前記第一の隙間より、高さ、奥行きが大きい空間としたことを特徴とする手乾燥装置。
【請求項２】
前記水切り部の前記嵌合部側の形状を開口方向を手挿入部側に開口するようにコの字型にしたことを特徴とする請求項１に記載の手乾燥装置。
【請求項３】
本体の上面及び側面に開口し、手を収納できる広さを有する手挿入部に、前記本体に設けられた高圧空気流を発生する送風機と前記高圧空気流を高速空気流として噴出させる前記手挿入部の互いに対向した面にそれぞれ配置されたノズルと前記高圧空気流を前記送風機から前記ノズルに送る風路とを有する手乾燥装置において、前記手挿入部の内壁部品と内壁部品との合わせ部分又は嵌合部に高圧空気流を供給する手段を設けたことを特徴とする手乾燥装置。
【請求項４】
前記手挿入部の内壁部品と内壁部品との合わせ部分又は嵌合部の対向面を内壁部品面に対して所定の角度を形成するように構成したことを特徴とする請求項３に記載の手乾燥装置。
【請求項５】
前記手挿入部の内壁部品と内壁部品との合わせ部分又は嵌合部の対向面を手挿入部側が上方に高く、手挿入部側から離れる奥側が下方に低くなるように構成したことを特徴とする請求項３に記載の手乾燥装置。
【発明の詳細な説明】
【０００１】
【発明の属する技術分野】
本発明は、洗浄後の濡れた手を乾燥させるための手乾燥装置に関するものである。
【０００２】
【従来の技術】
従来の濡れた手を乾燥させる手挿入部を有する手乾燥装置として図６に示す特開平７−１３６０７６号公報に掲載の技術が知られている。
【０００３】
図において、１は手乾燥装置の箱体である本体で、２は本体１に設けられた上面と側面が開口したＵ字形状の手挿入部、３は高圧空気流発生装置としての送風機、４は手挿入部の底部に設けられた排水口、５は排水口からのドレン水を下方のドレンタンク１１に導くための排水管。
【０００４】
６は高圧空気流発生装置の吸込口、７は本体１の下方に設けられた吸込口、９は吸込口６と７を連通する吸気ダクト、１０は吸込口６の上流に当たるチャンバー、１１は排水管５からのドレン水をためるドレンタンク、１４は吸込口７に設けられたフィルタ、１６は高圧空気流発生装置からの空気を吹出すノズルに導く風路である排気ダクト、１８ａ及び１８ｂは高圧空気流を高速空気流として手挿入部２内に吹出すノズルである。
【０００５】
送風機３は電動機部と羽根車部から構成され、羽根車を電動機で回転させて高圧空気を発生させるもので、手挿入部２の下方に設置されている。
手挿入部２は、Ｕ字形状をして下方に位置する内壁部品２ｂと、内壁部品２ｂの上方に位置する内壁部品２ａ、２ｃとの複数の内壁部品から構成されている。
【０００６】
内壁部品２ｂと内壁部品２ａ、２ｃとの間には図５に示すようにパッキン２１が設けられ水が浸入しないようになっている。（内壁部品２ｂと内壁部品２ａとの間も同様に構成されている。）パッキン２１の下方には電気回路部品が収納されている空間２ｄが構成されている。。
また、内壁部品２ｃの本体内部には高圧空気流の風路である排気ダクト１６が構成されている。
【０００７】
上記のように構成された手乾燥装置は、手挿入部２へ手を入れると、手挿入部２の奥に設けられたセンサー（図示せず）が手を検知して送風機３が作動する。送風機３が作動すると、空気が吸込口７から吸気ダクト９及び吸込口６を通って送風機３に入り高圧化されて吹出される。
【０００８】
送風機３より吹出された高圧空気は排気ダクト１６を通り上下のノズル１８ａ、１８ｂから高速空気流として手挿入部２に噴出され、濡れた手に当たり、手に付着していた水滴を吹飛ばし乾燥させる。吹き飛ばされた水滴は手挿入部２の内壁部品２ａ，２ｂ，２ｃの表面に付着して下方に流れ、排水口４より排水管５を通ってドレンタンク１１に流れ込む。
【０００９】
【発明が解決しようとする課題】
このように手乾燥装置は、高速の空気を濡れた手に当て、手に付着している水滴を吹き飛ばして短時間乾燥をするものであるが、しかし、手挿入部の内壁部品の合わせ部の隙間から内部に水が進入し収納されている電気部品を濡らす可能性があり、水侵入を防止する為に内壁部品２ａ，２ｂ，２ｃの合わせ部に隙間を塞ぐゴム製のパッキン等を用いてシールをしなければならなかった。
【００１０】
しかし、パッキンを使用すると、部品点数が増え、その金型費用や部品費用、パッキンを製品に組み付ける作業時間が増えその分コストがアップする課題があった。
【００１１】
また、内壁部品２ａ，２ｂ，２ｃの合わせ部には必ず隙間ができるので、その隙間にゴミや汚れ等が付着し易く、掃除しても除去することができず、清潔感や見栄えが悪くなる課題があった。
【００１２】
本発明は、上記課題を解決し、パッキン等のシール部品を使用せずに、内壁部品の合わせ部の隙間から内部に水が侵入を防止するとともにコスト低減を図り、また、合わせ部の隙間にゴミや汚れを付きにくくして清潔感や見栄えの良い手乾燥装置を得ることを目的とするものである。
【００１３】
【問題を解決するための手段】
本発明は、本体の上面及び側面に開口し、手を収納できる広さを有する手挿入部に、前記本体に設けられた高圧空気流を発生する送風機と、前記高圧空気流を高速空気流として噴出させる前記手挿入部の互いに対向した面にそれぞれ配置されたノズルと、前記高圧空気流を前記送風機から前記ノズルに送る風路とを有する手乾燥装置において、前記手挿入部を構成する内壁部品と内壁部品との合わせ部分を、一方の内壁部品に凹部を設け、他方の内壁部品の端部を前記凹部に挿入する嵌合部を設け、前記凹部に前記嵌合部を嵌め合せ、前記凹部と前記嵌合部との間に第一の隙間と第二の隙間と、前記第一の隙間と第二の隙間との間に水の浸入を止める水切り部とを設け、前記第一の隙間は前記水切り部の手挿入部側下端側に、前記第二の隙間は前記凹部と前記嵌合部との間に構成し、前記水切り部は前記第一の隙間より、高さ、奥行きが大きい空間としたものである。
【００１４】
また、前記水切り部の前記嵌合部側の形状を開口方向を手挿入部側に開口するようにコの字型にしたものである。
【００１５】
また、本体の上面及び側面に開口し、手を収納できる広さを有する手挿入部に、前記本体に設けられた高圧空気流を発生する送風機と、前記高圧空気流を高速空気流として噴出させる前記手挿入部の互いに対向した面にそれぞれ配置されたノズルと、前記高圧空気流を前記送風機から前記ノズルに送る風路とを有する手乾燥装置において、前記手挿入部の内壁部品と内壁部品との合わせ部分又は嵌合部に高圧空気流を供給する手段を設けたものである。
【００１６】
また、前記手挿入部の内壁部品と内壁部品との合わせ部分又は嵌合部の対向面を内壁部品面に対して所定の角度を形成するように構成したものである。
【００１７】
また、前記手挿入部の内壁部品と内壁部品との合わせ部分又は嵌合部の対向面を手挿入部側が上方に高く、手挿入部側から離れる奥側が下方に低くなるように構成したものである。
【００１８】
【発明の実施の形態】
実施の形態１．
以下、本発明の実施の形態１について説明をする。なお従来例と同じ部分は詳しい説明は省略する。
図１は本発明の手乾燥装置を示す断面図である。図において、１は手乾燥装置の外郭をなす本体、２はこの本体１の上面および側面を開口して手の挿抜自在に設けられた手挿入部であり、下部方向へ傾斜を有して底部が略Ｕ字状を呈している。４は手挿入部２の底部に設けられた排水口、５は排水口４に接続された排水管、１１はドレン水を溜めるドレンタンクである。
【００１９】
１８ａ、１８ｂは手挿入部２の入口の対抗する面に設けられた高速空気流を吹出すノズルであり、手挿入部２に挿入した手（図示せず）を擦り合せることなく、手に付着した水滴を手の表裏から排除できるように、手の甲側と掌側の双方に風を同時に当てるようになっている。ノズルの向きは、手に対して入口から奥への圧力勾配を形成するような傾斜を有して設けられている。
【００２０】
手挿入部２はノズル１８ａ，１８ｂを有する上部の内壁部品２ａ，２ｃとそれに繋がって下方にＵ字形状を構成する内壁部品２ｂで構成され、内壁部品２ａ、２ｂ、２ｃの表面には、シリコン系もしくはフッ素系等の撥水性コ−ティング、又は酸化チタン等の親水性があるコ−ティング、又は抗菌剤含浸を処理し、表面の汚れ付着の低減及び菌の繁殖の低減を図っている。内壁部品２ａ，２ｃの下方には２ａ，２ｃに連続して内壁部分２ｅ，２ｆが後述するように排気ダクト３２の一部として構成されている。
【００２１】
３２は送風機３０の排出口３１に接続された排気ダクトで、手挿入部２に設けられたノズル１８ａ、１８ｂに接続されている。排気ダクト３２は送風機３０の排出口３１に接続する部分からノズル１８ａ，１８ｂに至るまで合成樹脂で一体に成形されて排気風路を構成している。
排気ダクト３２の手挿入部側の上部部分は手挿入部の内壁部品２ａ及び２ｃを構成し、２ａ及び２ｃの下方の２ｅ、２ｆ部分にはセンサーや回路基板などの電気部品が収納される空間２ｄとなる凹部を形成している。
【００２２】
２ｅ、２ｆ部分の空間２ｄを覆う内壁部品２ｂは略Ｕ字形状をして上方と両側面が開口し、内壁部品２ａ，２ｃの下方に取りつけたとき空間２ｄを完全に覆い、電気部品に水がかからないようにしている。内壁部品２ｂの略Ｕ字形状の上端部の２辺は内壁部品２ａ、２ｃの２ｅ、２ｆ部分との境界付近の後述する凹部で嵌まり合い空間２ｄに水が浸入しないように固定される。
【００２３】
排気ダクト３２と送風機３０の排出口３１との接続はチャンバー４０の外側で防振部材を介して排気ダクト３２に伝わる送風機３０の振動が少なくなるように連結されている。１２ａと１２ｂは手を検知するセンサーである発光素子と受光素子、１３は手挿入部２や挿入される手を照明する照明用発光素子である。
【００２４】
送風機３０は遠心式の高圧空気を発生させるもので手挿入部２の下方のチャンバー４０内に設けられている。チャンバー４０は上面に送風機３０の排出口３１を接続して高速空気を排出できる排出口４０ａを有し、下面には吸気口４１を有して吸気風路を構成している。チャンバー４０内の送風機３０は排出口３１をチャンバーの排出口４０ａに一致させて固定されている。
【００２５】
送風機３０をチャンバー４０内に固定する部分及び排出口３１の固定部分は防振のための防振部材（例えば、ばね材やゴム材等の部品）を介して固定され、フローティング機能を持たせて送風機３０の振動が周囲に伝いにくくして騒音が大きくならないようにしてある。チャンバー４０の吸気口４１には、空気中の埃などを除去する着脱可能なフィルター４２が設けられている。
【００２６】
手を手首付近まで手挿入部２へ挿入し、センサー１２ａ、１２ｂが手を検知して送風機３０が作動すると、空気が吸気口４１よりチャンバー４０内を通り、送風機３０に吸込まれ高圧空気となる吸気風路と、送風機３０から排出されて排気ダクト３２を経由して、ノズル１８ａ、１８ｂより高速空気が噴出される排気風路とからなる風路が形成される。
【００２７】
次に手挿入部の内壁部品２ｂの略Ｕ字形状の上端部２辺と内壁部品２ａ、２ｃの２ｅ、２ｆ部分とのの境界付近での嵌め合い部分についての構造を説明する。
図２は本発明の内壁部品２ｂと２ａ、２ｃの嵌め合い形状を示す図である。
図において、内壁部品２ａ、２ｃの２ｅ、２ｆ部分の境界付近に、２ａ、２ｃ側から２ｅ，２ｆ部分の面に略平行に所定の間隔を有して下方に突出片２ｇを設けて、２ｃ、２ｆ、２ｇとの間で凹部２ｈを形成している。内壁部品２ｂの略Ｕ字形状の上端部には前記凹部２ｈに嵌め合う嵌合部２ｉを設けて、凹部２ｈと嵌合部２ｉを嵌め合せて内壁部品２ｂを固定することで水の侵入を阻止する。この構成によりパッキン等のシール部品を省略できる。
【００２８】
凹部２ｈと嵌合部２ｉの寸法関係は、凹部２ｈの内寸法が嵌合部２ｉの外寸法に対して微少隙間を有するスキマバメに構成されている。
嵌合部２ｉには手挿入部側に向かって開口する水切り部２ｊが形成されている。この水切り部２ｊを設ける事により嵌合部２ｉの断面形状はコの字型を形成している。
【００２９】
水切り部２ｊは凹部２ｈの内寸法と嵌合部２ｉの外寸法とで出来る隙間より高さ方向、奥行きともに大きな空間に構成され、突出片２ｇの端の隙間より毛細管現象により侵入する水をここで断ち切る事により、空間２ｄへの水の浸入を阻止して電気部品を保護する。水切り部２ｊの開口方向が手挿入部側に開口していることにより水が浸入する位置よりも開口の上面が高い位置になるので、高い水の侵入防止効果を有している。
これによりパッキン等のシール部品を使用しなくても防水が出来、部品を省略できる。
凹部２ｈの嵌合部２ｉの装着は凹部２ｈの下から差し込み装着される。
【００３０】
水切り部２ｊの別の実施例を図３に示す。図３において、水切り部２ｊは嵌合部２ｉの上方の端部に設けられ、２ｅ、２ｆ部分の面に平行で内壁部品２ａ、２ｃの方向である上方に開口している。
水切り部２ｊは凹部２ｈの内寸法と嵌合部２ｉの外寸法とで出来る隙間より幅及び深さともに大きな空間に構成され、突出片２ｇの端の隙間より毛細管現象により侵入する水をここで断ち切る事により、空間２ｄへの水の浸入を阻止して電気部品を保護する。また、水切り部２ｊをこのように設けることにより成形の型が抜き方向が同じになり構造が簡単になって型の製作がし易く型の費用が安価になり、一体成形もし易くなる。
凹部２ｈの嵌合部２ｉの装着は下から差し込み装着する。
【００３１】
実施の形態２．
実施の形態２として手挿入部の内壁部品の合わせ部（又は嵌合部）に排気ダクト３２からの高圧空気流を供給する手段を設けた構成を図４を用いて説明する。
図４の手挿入部の内壁部品のあわせ部（又は嵌合部）以外は実施の形態１と同じであり説明は省略する。
【００３２】
図４において、内壁部品２ａ、２ｃ及びその２ｅ、２ｆ部分は排気ダクト３２の一部を構成しており、その内側を高圧空気が流れている。この内壁部品２ａ、２ｃの２ｅ、２ｆ部分の境界付近に壁を貫通する高圧空気流を供給する手段としての噴出穴２ｋを複数設け、排気ダクト３２内の高圧空気を内壁部品２ｂとのあわせ部（又は嵌合部）の隙間に噴出させる。
【００３３】
内壁部品２ｂとの合わせ部（又は嵌合部）の形状は２ｅ、２ｆ部分に設けられた、電気部品を収納する空間２ｄの深さに等しい側縁２ｍが形成されている。側縁２ｍは手挿入部側が高く、２ｅ，２ｆの内壁側が低くなる勾配を有している。これは、合わせ部（又は嵌合部）の隙間から吹出す空気流が、手を乾燥するとき、手に当たった高速空気流が手挿入部の底部から吹き上げるが、この気流といっしょに上部方向に吹出すようにして隙間からの強い吹き出し空気流を維持するためである。
【００３４】
内壁部品２ａ、２ｃの２ｅ、２ｆ部分との境界付近の合わせ部（又は嵌合部）の内壁部品２ｂの側縁２ｍに対面する部分は側縁２ｍと等しい勾配に形成され、内壁部品２ｂが組み合わされた時、側縁２ｍの面とほぼ密着する状態になる。ただし、密着状態となるものの部品の製作公差により微小隙間ができている。
側縁２ｍの端部は、内壁部品２ａ，２ｃの２ｅ、２ｆの面に密着している。
【００３５】
このように構成された手乾燥装置は、手を手首付近まで手挿入部２へ挿入すると、センサー１２ａ、１２ｂが手を検知し、送風機３０が作動し、それによってチャンバー４０の吸気口４１よりフィルタ４２を通過して空気が吸気され、チャンバー４０内を通り、送風機３０に吸込まれる。送風機３０で空気は高圧空気となり、排気ダクト３２を流れて、ノズル１８ａ、１８ｂより高速空気が噴出され、手挿入部２内に挿入された手に当たり、手の表面に付着していた水を水滴として吹飛ばされ手が乾燥する。
【００３６】
また、内壁部品２ａ、２ｃの２ｅ、２ｆ部分の境界付近に壁を貫通して設けられた噴出穴２ｋからは、排気ダクト３２内の高圧空気が内壁部品２ｂとの合わせ部（又は嵌合部）の隙間に噴出される。この噴出された高圧空気流は手挿入部側に吹出し水が浸入してくるのを阻止すると同時に、ここの隙間にゴミや汚れが付着するのを防止する。
【００３７】
また、電気部品を収納している空間２ｄにも高圧空気流の圧力が加わり、空間２ｄ内の圧力を高くして水の浸入を防止し、電気部品を保護する。
手が乾燥し、手を手挿入部２から完全に抜くと、センサー１２ａ、１２ｂが手を検知しなくなる為、送風機３０が停止し送風が止る。
【００３８】
排気ダクト３２内の高圧空気流が内壁部品２ｂとの合わせ部（又は嵌合部）の隙間に噴出されることにより、手挿入部の合わせ部（又は嵌合部）の隙間が広くなっても水侵入を防ぐ効果は落ちることがなくパッキン材等のシール材を省略できる手乾燥装置が得られる。
【００３９】
【発明の効果】
本発明によれば、手挿入部を構成する内壁部品と内壁部品の合わせ部分を、一方に凹部を設け、他方に前記凹部に挿入する嵌合部を設けて嵌め合せ、この嵌め合せ部分に水切り部を設け隙間より毛細管現象により侵入する水を遮断して内部への水の侵入を防止できるようにしたことにより、パッキン等のシール部品を使用することなく製品内部への水侵入を防止することができる効果がある。
【００４０】
また、前記水切り部の嵌合部の開口方向を手挿入部側に開口するようにしたので、水が侵入する位置に対して前記開口の上面が高い位置になるので高い水の侵入防止効果が得られる。
【００４１】
また、内壁部品と内壁部品との合わせ部（又は嵌合部）に高圧空気を供給することにより、隙間に侵入する水を吹き飛ばして水が内部侵入することを防止できる効果がある。
【００４２】
内壁部品と内壁部品との合わせ部（又は嵌合部）の互いの面を内壁面に対して所定の角度もって形成したので面と面を密着して取付けることが容易にできる。
【００４３】
内壁部品と内壁部品との合わせ部（又は嵌合部）の互いの面を手挿入部側が高く奥側が下方に低くなるように構成したので、隙間から吹出す高速空気流の方向と、ノズルから吹出され手に当たって手挿入部の底部から吹き上げてくる風と吹く方向が同じになり隙間から吹出す高速空気流の邪魔をすることがないので強い吹出し空気流が維持できる効果がある。
【図面の簡単な説明】
【図１】  本発明の手乾燥装置の断面図である。
【図２】  本発明の手挿入部の内壁部品嵌め合せ部分を示す断面図である。
【図３】  本発明の手挿入部の内壁部品嵌め合せ部分の別な形状を示す断面図である。
【図４】  本発明の手挿入部の内壁部品の合わせ部（又は嵌合部）に高圧空気流を吹出す構成を示す断面である。
【図５】  従来の手挿入部の内壁部品の合わせ部を示す断面図である。
【図６】  従来の手乾燥装置の断面図である。
【符号の説明】
２  手挿入部、  ２ａ，２ｂ，２ｃ  内壁部品、  ３２  排気ダクト、  ２ｄ  空間、  ２ｇ  突出片、  ２ｈ  凹部、  ２ｉ  嵌合部、  ２ｊ  水切り部、  ２ｋ  噴出穴、  ２ｍ  側縁。
【図１】
0003731106.tif 000002
【図２】
0003731106.tif 000003
【図３】
0003731106.tif 000004
【図４】
0003731106.tif 000005
【図５】
0003731106.tif 000006
【図６】
0003731106.tif 000007